【手続補正書】
【提出日】平成19年7月19日(2007.7.19)
【手続補正１】
【補正対象書類名】明細書
【補正対象項目名】全文
【補正方法】変更
【補正の内容】
【書類名】  明細書
【発明の名称】  歩数計および生体情報データ送信システム
【特許請求の範囲】
【請求項１】  歩数を計測する歩数計測部と、着脱可能な記憶媒体に前記歩数計測部によって計測した歩数データを書き込む歩数計記憶部と、少なくとも１つ以上の生体情報測定機器より生体情報データを受信する受信部を備え、前記歩数計記憶部は前記歩数計測部によって計測した歩数データおよび前記受信部によって受信した生体情報データを記憶する着脱可能な記憶媒体にデータの書き込みを行う歩数計。
【請求項２】  請求項１記載の歩数計と、前記歩数計に接続していた記憶媒体を接続して前記記憶媒体に記憶された歩数データや生体情報データを読み出す記憶媒体インタフェース部と、ネットワークを介して遠隔端末に接続するネットワーク接続部と、前記記憶媒体インタフェース部によって前記記憶媒体より読み出したデータの少なくとも１つを前記遠隔端末に送信するネットワーク通信部と、前記歩数データや生体情報データの読み出しやネットワークへの送信制御を行う端末制御部とを備えた端末装置とを備えた端末装置とで構成する生体情報データ送信システム。
【請求項３】  歩数を計測する歩数計測部と、音楽データを記憶している着脱可能な記憶媒体に前記歩数計測部によって計測した歩数データを書き込む歩数計記憶部と、前記記憶媒体より音楽データを読み込んで再生する音楽再生部とを備えた歩数計。
【請求項４】  歩数計が請求項３記載の構成の歩数計であることを特徴とする請求項２記載の生体情報データ送信システム。
【請求項５】  着脱可能な記憶媒体は、読み出し時および書き込み時に認証を行うことを特徴とする請求項１または３記載の歩数計。
【請求項６】  着脱可能な記憶媒体は、読み出し時および書き込み時に認証を行うことを特徴とする請求項２または４記載の生体情報データ送信システム。
【発明の詳細な説明】
【０００１】
【発明の属する技術分野】
本発明は、歩数データ等を着脱可能な記憶媒体に記憶する歩数計および記憶媒体を用いて生体情報データを伝送する生体情報データ送信システムに関するものである。
【０００２】
【従来の技術】
従来、歩数計のデータとしては、歩数や運動強度とそれをもとにした歩行距離や消費カロリーを算出したものを記憶し、表示している。さらにそのデータは、特開平９−１３１２８９号公報に記載されているように赤外線通信等の光通信や、特開平１０−３３５１４号公報に記載されているようにＩＣカード等の着脱可能な記憶媒体によってパソコン等に転送してデータの管理を行うことが考えられている。
【０００３】
また、生体情報データ送信システムとしては、特開平１１−１５１２１１号公報のように、血圧計や体温計等の生体情報測定機器からの測定データを受信して管理を行い、さらにネットワークを介して医療機関や保健センターに設置された遠隔端末へデータを送信する端末装置を用いた図８に示すようなシステムが用いられている。
【０００４】
図８において、１ａ〜１ｎは生体情報を測定する生体情報測定機器で、２は生体情報測定機器１ａ〜１ｎの測定データを入力、管理、および外部端末と通信を行う端末装置である。また、４は端末装置２と通信ネットワークとしての公衆電話回線３を介して接続される遠隔端末である。
【０００５】
生体情報測定機器１ａ〜１ｎの測定データは、個々に赤外線通信によって端末装置２に転送されて、端末装置２の表示部（図示せず）によって蓄積されたデータより一ヶ月のトレンド等のグラフ表示を行ったりすることで、データの管理を行う。さらに、端末装置２によって確認したデータは公衆電話回線３を介して遠隔端末４へ送信することで、遠隔端末４ではデータを解析し、専門家による健康管理、指導を行う。
【０００６】
【発明が解決しようとする課題】
しかしながら、上記のような従来の生体情報データ送信システムの構成では、それぞれの生体情報を測定する生体情報測定機器から直接に端末装置へ生体情報データを収集していたので、端末装置に転送する時点でそれぞれの生体情報測定機器毎に送信操作を行わなければならない。
【０００７】
さらに、上記のような従来の歩数計では、歩数計に記憶されたデータはあくまで歩数や運動強度をもとにしたもののみであり、他の生体情報データを含まないので歩数計のデータを端末装置や遠隔端末に送信しても生体情報データとしての管理用途は非常に限られている。
【０００８】
また、データ転送機能を設けた歩数計の構成では、歩数や運動強度関連のデータのみを扱うために光通信インタフェースまたは着脱可能な記憶媒体のインタフェースを設けているが、歩数計自体の価格は比較的安価であるため、かなり割高なシステムになってしまう。
【０００９】
さらに従来の歩数計や生体情報測定機器から端末装置へのデータ通信においては、通常の赤外線通信（ＩｒＤＡ規格）のデータ伝送やメモリカードによる伝送などでは生体情報データの他人による書き込みや読み出しが行われてしまう。
【００１０】
【課題を解決するための手段】
本発明は上記課題を解決するため、歩数を計測する歩数計測部と、着脱可能な記憶媒体に前記歩数計測部によって計測した歩数データを書き込む歩数計記憶部と、少なくとも１つ以上の生体情報測定機器より生体情報データを受信する受信部を備え、前記歩数計記憶部は前記歩数計測部によって計測した歩数データおよび前記受信部によって受信した生体情報データを記憶する着脱可能な記憶媒体にデータの書き込みを行うことを特徴とした歩数計である。
【００１１】
【発明の実施の形態】
本発明の請求項１にかかる歩数計は、歩数を計測する歩数計測部と、着脱可能な記憶媒体に前記歩数計測部によって計測した歩数データを書き込む歩数計記憶部と、少なくとも１つ以上の生体情報測定機器より生体情報データを受信する受信部を備え、前記歩数計記憶部は前記歩数計測部によって計測した歩数データおよび前記受信部によって受信した生体情報データを記憶する着脱可能な記憶媒体にデータの書き込みを行うものである。そして、受信部によって他の生体情報測定機器からの生体情報データを受信して記憶媒体に書き込むことで、歩数計に接続したままの記憶媒体に複数の生体情報データを記憶することができるので、常に１つの歩数計のみで生体情報を管理することができる。
【００１２】
本発明の請求項２にかかる生体情報データ送信システムは、請求項１記載の歩数計と、前記歩数計に接続していた記憶媒体を接続して前記記憶媒体に記憶された歩数データや生体情報データを読み出す記憶媒体インタフェース部と、ネットワークを介して遠隔端末に接続するネットワーク接続部と、前記記憶媒体インタフェース部によって前記記憶媒体より読み出したデータの少なくとも１つを前記遠隔端末に送信するネットワーク通信部と、前記歩数データや生体情報データの読み出しやネットワークへの送信制御を行う端末制御部とを備えた端末装置とで構成するものである。そして、携帯する歩数計を接続することで他の生体情報測定機器によって測定した生体情報データを歩数計の記憶媒体に記憶することができるので、歩数計に接続された記憶媒体を端末装置に接続することで記憶媒体に記憶しているすべての生体情報データを端末装置によって表示したり、遠隔端末へ送信して解析し、専門家による健康管理や指導を行う場合に、より詳しく管理を行うことができる。
【００１３】
本発明の請求項３にかかる歩数計は、歩数を計測する歩数計測部と、音楽データを記憶している着脱可能な記憶媒体に前記歩数計測部によって計測した歩数データを書き込む歩数計記憶部と、前記記憶媒体より音楽データを読み込んで再生する音楽再生部とを備えたものである。そして、常に携帯する歩数計において音楽データを記憶した記憶媒体を音楽再生部によって再生することとしたので、音楽再生機器と歩数計の記憶媒体を兼用することによってコストを押さえ、音楽を聴きながらの歩行運動によってストレスを抑制することができる。
【００１４】
本発明の請求項４にかかる生体情報データ送信システムは、請求項２記載の生体情報データ送信システムにおいて歩数計が請求項３記載の構成であることを特徴とするものである。そして、音楽再生しながら携帯する歩数計に接続した記憶媒体を用いて他の生体情報測定機器によって測定した生体情報データを記憶することができるので、音楽でリラックスした状態での測定が行え、歩数計に接続された記憶媒体を端末装置に接続することで端末装置に表示したり遠隔端末へ送信する生体情報データが安静時のデータとして扱えるため、データの解析が容易である。
【００１５】
本発明の請求項５にかかる歩数計は、請求項１または３記載の歩数計において歩数計着脱可能な記憶媒体が、読み出し時および書き込み時に認証を行うことを特徴とするものである。そして、記憶媒体のデータの不用意な書き換えや、他人からの読み出しに対して保護することができる。
【００１６】
本発明の請求項６にかかる生体情報データ送信システムは、請求項２、４記載のいずれかである生体情報データ送信システムにおいて着脱可能な記憶媒体が、読み出し時および書き込み時に認証を行うことを特徴とするものである。そして、生体情報データの読み出し時および書き込み時に認証を行う記憶媒体を用いるので、データの不用意な書き換えや、他人からの読み出しに対して保護することができる。
【００１７】
【実施例】
以下、本発明の実施例について図面を用いて説明する。
【００１８】
（実施例１）
図１は本発明の実施例１の生体情報データ送信システムである。また、図２はこの生体情報データ送信システムの生体情報測定機器の１つとして用いる歩数計６のブロック構成図、図３は血圧計、体温計、体重計等のその他の生体情報測定機器１ｂ〜１ｎのブロック構成図、図４は端末装置２のブロック構成図である。
【００１９】
歩数計６は図２のブロック構成図に示すように、歩数を計測する歩数計測部１０と、歩数計測部１０で測定した歩数データを記憶媒体５に書き込む歩数計記憶部１２と、記憶媒体５に記憶された音楽データを読み出して再生する音楽再生部１３と、歩数計測部１０で測定した歩数データや記憶媒体５に記憶された音楽データの内容を表示する液晶等で構成した歩数計表示部１１と、操作スイッチとマイコンによって歩数データの歩数計記憶部１２を介して記憶媒体５への書き込みや記憶媒体５から音楽データを読み出して音楽再生部１３による再生制御などの各部を制御する歩数計制御部１４とで構成されている。
【００２０】
歩数計測部１０は、計測した歩数データを一時記憶する機能を有することで、記憶媒体５が接続されていなくても歩数データを継続して計測することができるものである。
【００２１】
生体情報測定機器１ｂ〜１ｎを説明すると、生体情報測定機器１ｂは図３のブロック構成図に示すように、生体情報を計測する生体情報計測部１５ｂと、生体情報計測部１５ｂで測定した生体情報データを表示する液晶等で構成した生体情報表示部１６ｂと、生体情報計測部１５ｂで測定した生体情報データを記憶媒体５に書き込む生体情報記憶部１７ｂと、操作スイッチとマイコンによって各部を制御する生体情報制御部１８ｂとで構成される。生体情報測定機器１ｎも同様に、生体情報計測部１５ｎ、生体情報表示部１６ｎ、生体情報記憶部１７ｎ、生体情報制御部１８ｎとで構成される。
【００２２】
端末装置２は図４のブロック構成図に示すように、生体情報データを記憶した着脱可能な記憶媒体５を接続してデータの読み出しを行う記憶媒体インタフェース部１９と、記憶媒体５より読み出したデータを表示する液晶等で構成した端末表示部２０と、公衆電話回線３へデータを送出するネットワーク通信部２１と、操作スイッチとマイコンによって各部の制御を行い記憶媒体５より読み出したデータを管理する管理機能や公衆電話回線３を介して遠隔端末４との接続制御を行うネットワーク接続機能を有する端末制御部２２とで構成される。
【００２３】
ネットワーク通信部２１は、通信ネットワークとして公衆電話回線３を用いているため公衆電話回線用モデムで構成すればよく、他の通信ネットワークを用いた場合は、例えばＣＡＴＶ回線を用いれば、ケーブルモデムという様に通信ネットワークに応じて、それに応じた構成とすればよい。
【００２４】
次に、図１の生体情報データ送信システムの動作手順について図１から図４をもとに説明する。
【００２５】
図２の歩数計６は、使用者が腰のベルト等につけることで携帯し、歩数計測部１０により使用者の歩数の計測を行い、歩数計制御部１４は歩数計測部１０によって計測した歩数を受けて、歩数計表示部１１に表示する。また、歩数計記憶部１２によって記憶媒体５より読み出した音楽データを音楽再生部１３によって再生を行い、使用者はイヤホン等を用いて再生した音楽を聴きながら移動することができる。
【００２６】
図３の生体情報計測機器１ｂでの測定を行うときは、歩数計６より記憶媒体５を取り出し、生体情報測定機器１ｂに接続する。生体情報測定部１５ｂによって生体情報を測定すると、生体情報制御部１８ｂは生体情報測定部１５ｂによって測定した生体情報を受けて、生体情報表示部１６ｂに表示する。また、生体情報記憶部１７ｂによって記憶媒体５へ測定した生体情報測定機器名と生体情報を書き込む。測定が終了すると、記憶媒体５を再び歩数計６に戻す。
【００２７】
生体情報測定機器１ｃ〜１ｎも同様にして記憶媒体５を接続して生体情報を測定することで、記憶媒体５にはそれぞれの生体情報が書き込まれる。ただし、生体情報測定機器は１台であってもよいし、複数の機器であってもよい。
【００２８】
それぞれの生体情報測定機器１ｃ〜１ｎにおいて生体情報の測定が完了し、生体情報を遠隔端末４に送信するときは、携帯している歩数計６の歩数記憶部１２によって歩数計測部１０の一時記憶より生体情報測定機器名である「歩数計」と歩数データを記憶媒体５に書き込む。この記憶媒体５を端末装置２に接続し、端末制御部２２によって記憶媒体インタフェース部１９を介して記憶媒体５に記憶された生体情報測定機器名と生体情報データを読み出して、端末表示部２０に一覧表示する。端末制御部２２によって遠隔端末の電話番号のダイヤリングを行い、公衆電話回線３を介して遠隔端末４が応答することで接続されると、端末表示部２０に表示された生体情報測定機器名と生体情報をネットワーク通信部２１より公衆電話回線３を介して遠隔端末４へ送信を行う。
【００２９】
記憶媒体の記憶する生体情報データは、生体情報測定機器名と測定した生体情報データを記憶媒体としたが、生体情報測定機器名は機器品種（例えば「血圧計」、「体温計」など）や機器品番（例えば「ＤＭ−Ｂ５」、「ＤＭ−Ｔ２」など）のように測定内容が識別できる識別子であればよく、生体情報データは１つの機器で複数の測定データがある場合は、内容識別子（例えば血圧計ならば「最高血圧」、「最低血圧」、「脈拍」など）と測定データを組みにして複数のデータの内容を識別できるようにする。なお、各識別子のデータフォーマットは上記のような文字データに限らず、略語や数字等により対応させてもよい。
【００３０】
そして、本実施例における歩数計は、携帯して記憶媒体に記憶された音楽データを再生する機能を実現するための記憶媒体のインタフェース構成や表示部構成を持つので、歩数データを記憶するための記憶媒体のインタフェース構成や歩数データを表示するための表示部構成を兼用することができ、着脱可能な記憶媒体を用いた歩数計としてはコストを押さえ、音楽を聴きながらの歩行運動によってストレスを抑制することができる。
【００３１】
さらに、本実施例における生体情報データ送信システムは、通常携帯している歩数計に接続された記憶媒体を生体情報測定機器に接続して記憶媒体に測定したデータを書き込んでいくので、通常電話線に接続されて固定設置されている端末装置への生体情報データの転送は携帯している歩数計に接続されている記憶媒体を取り出して端末装置へ接続することですべての生体情報データ転送が端末装置の前で行え、遠隔の生体情報測定機器においても生体情報データを長距離伝送するための高価な無線通信機能を必要としない。
【００３２】
なお、本実施例では歩数計に音楽再生機能を有しているが、音楽再生の機能を付加しないで着脱可能な記憶媒体を有する歩数計測機能を有するのみの携帯型の歩数計を用いても、上記と同様に生体情報データを記憶媒体に集めて転送するという生体情報データ送信の機能は同じである。
【００３３】
また、歩数計測部で計測した歩数に応じて音楽再生部で再生する音楽が変化することとすると、歩数表示を確認することなく歩数が音楽で認識でき、さらに歩行運動を促進する効果が得られる。
【００３４】
また、本実施例では歩数計を一つの生体情報測定機器として携帯することで記憶媒体をも携帯するようにしたが、記憶媒体のみを携帯することとすれば記憶媒体の接続ができる歩数計を必要とせずに、生体情報の測定のたびに記憶媒体を生体情報測定機器に着脱することで生体情報を記憶させることができるし、歩数計でなくても着脱可能な記憶媒体を接続して用いる生体情報測定機器である脈拍計や心拍計を携帯することにしても上記実施例と同様な効果が得られる。
【００３５】
また、着脱可能な記憶媒体は、データの書き込みおよび読み出しができればよいが、記憶媒体に認証コードを書き込んでおき、認証コードを含めたデータの送受信を行わなければデータの読み書きができないデータ保護のための認証機能を備えているものとすれば、音楽データやその他の生体情報データを保護することができ、他人に記憶媒体のデータを改ざん、読み出しをされることがない。
【００３６】
（実施例２）
図５は本発明の実施例２の生体情報データ送信システムのブロック構成図、図６は本発明の実施例２の歩数計のブロック構成図、図７は本発明の実施例２の生体情報機器のブロック構成図である。実施例１と構成上異なる点は、図６のように歩数計６に生体情報測定機器１ｂ〜１ｎからの生体情報データを受信する受信部２３を備え、図７のようにその他の生体情報測定機器１ｂ〜１ｎには生体情報記憶部の代わりに歩数計６へ生体情報データを送信する送信部２４を備えたことである。
【００３７】
次に、図５の生体情報データ送信システムの動作手順について図６および図７をもとに説明する。
【００３８】
図６の歩数計６は、使用者が腰のベルト等につけることで携帯し、歩数計測部１０により使用者の歩数を計測を行い、歩数計制御部１４は歩数計測部１０によって計測した歩数を受けて、歩数計表示部１１に表示する。また、歩数計記憶部１２によって記憶媒体５より読み出した音楽データを音楽再生部１３によって再生を行い、使用者はイヤホン等を用いて再生した音楽を聴きながら移動することができる。
【００３９】
図７の生体情報計測機器１ｂでの測定を行うときは、歩数計６と生体情報測定機器１ｂを接続する。生体情報測定部１５ｂによって生体情報を測定すると、生体情報制御部１８ｂは生体情報測定部１５ｂによって測定した生体情報を受けて、生体情報表示部１６ｂに表示する。また、送信部２４ｂによって測定した生体情報測定機器名と生体情報を歩数計６に送信する。歩数計６では、受信部２３によって受信した生体情報を歩数計制御部１４の制御によって歩数計記憶部１２を介して記憶媒体５へ書き込む。
【００４０】
送信部２４と受信部２３は有線のシリアル通信による接続であれば最も安価に構成できる。ただし、赤外線通信などの無線通信を用いれば、直接に接続をすることなくさらに容易にデータ伝送の操作を行うことができる。
【００４１】
生体情報測定機器１ｃ〜１ｎも同様にして歩数計６を接続して生体情報を測定することで、歩数計６に接続された記憶媒体５にはそれぞれの生体情報が書き込まれる。ただし、生体情報測定機器は１台であってもよいし、複数の機器であってもよい。
【００４２】
生体情報の測定が完了し、生体情報を遠隔端末４に送信する方法は、実施例１と同じである。
【００４３】
そして、本実施例における歩数計を除く生体情報測定機器は、歩数計と接続するためのインタフェースのみで測定データを伝送できるので、記憶媒体インタフェース等を用いることなくコストを押さえることができる。
【００４４】
さらに、本実施例における生体情報データ送信システムは、通常携帯している歩数計を接続することで記憶媒体に生体情報測定機器で測定した生体情報データを書き込んでいくので、通常電話線に接続されて固定設置されている端末装置への生体情報データの転送は携帯している歩数計に接続されている記憶媒体を取り出して端末装置へ接続することですべての生体情報データ転送が端末装置の前で行え、遠隔の生体情報測定機器においても生体情報データを長距離伝送するための高価な無線通信機能を必要としない。
【００４５】
なお、着脱可能な記憶媒体は、データの書き込みおよび読み出しができればよいが、記憶媒体に認証コードを書き込んでおき、認証コードを含めたデータの送受信を行わなければデータの読み書きができないデータ保護のための認証機能を備えているものとすれば、音楽データやその他の生体情報データを保護することができ、他人に記憶媒体のデータを改ざん、読み出しをされることがない。
【００４６】
【発明の効果】
以上説明したように、本発明の請求項１に係る歩数計は、受信部によって他の生体情報測定機器からの生体情報データを受信して記憶媒体に書き込むことで、歩数計に接続したままの記憶媒体に複数の生体情報データを記憶することができるので、常に１つの歩数計のみで生体情報を管理することができる。
【００４７】
また、本発明の請求項２に係る生体情報データ送信システムは、携帯する歩数計に接続した記憶媒体を用いて他の生体情報測定機器によって測定した生体情報データを記憶することができるので、歩数計に接続された記憶媒体を端末装置に接続することで記憶媒体に記憶しているすべての生体情報データを端末装置によって表示したり、遠隔端末へ送信して解析し、専門家による健康管理や指導を行う場合に、より詳しく管理を行うことができる。
【００４８】
本発明の請求項３に係る歩数計は、音楽データを記憶した記憶媒体を音楽再生部によって再生することとしたので、音楽再生機器と歩数計の記憶媒体を兼用することによってコストを押さえ、音楽を聴きながらの歩行運動によってストレスを抑制することができる。
【００４９】
また、本発明の請求項４に係る生体情報データ送信システムは、音楽再生しながら携帯する歩数計に接続した記憶媒体を用いて他の生体情報測定機器によって測定した生体情報データを記憶することができるので、音楽でリラックスした状態での測定が行え、歩数計に接続された記憶媒体を端末装置に接続することで端末装置に表示したり遠隔端末へ送信する生体情報データが安静時のデータとして扱えるため、データの解析が容易である。
【００５０】
また、本発明の請求項５の歩数計および請求項６の生体情報データ送信システムは、読み出し時および書き込み時に認証を行う記憶媒体を用いるので、データの不用意な書き換えや、他人からの読み出しに対して保護することができる。
【図面の簡単な説明】
【図１】
本発明の実施例１における生体情報データ送信システムの全体構成図
【図２】
本発明の実施例１における歩数計のブロック構成図
【図３】
本発明の実施例１における生体情報測定機器のブロック構成図
【図４】
本発明の実施例１および実施例２における端末装置のブロック構成図
【図５】
本発明の実施例２における生体情報データ送信システムの全体構成図
【図６】
本発明の実施例２における歩数計のブロック構成図
【図７】
本発明の実施例２における生体情報測定機器のブロック構成図
【図８】
従来例における生体情報データ送信システムの全体構成図
【符号の説明】
１  生体情報測定機器
２  端末装置
３  公衆電話回線
４  遠隔端末
５  記憶媒体
６  歩数計
１０  歩数計測部
１１  歩数計表示部
１２  歩数計記憶部
１３  音楽再生部
１４  歩数計制御部
１５  生体情報測定部
１６  生体情報表示部
１７  生体情報記憶部
１８  生体情報制御部
１９  記憶媒体インタフェース部
２０  端末表示部
２１  ネットワーク通信部
２２  端末制御部（ネットワーク接続部を含む）
２３  受信部
２４  送信部